(57)【特許請求の範囲】
【請求項１】
ａ．左右に分けられたガスメータ接続管４と７の下端外周にはパッキン８と９をそれぞれ装着するパッキン装着段部４ａ、７ａが形成され、ガスメータ１の取り付けに際しては、前記段部４ａと７ａにそれぞれ装着したパッキン８と９にガスメータ１の入側口金２と出側口金５の上端面をそれぞれ圧接させ、前記ガスメータ接続管４と７側に取り付けた袋ナット３と６をガスメータ１側の前記入側口金２と出側口金５に形成されたねじに螺合させ、ガスメータ１の交換に際しては前記袋ナット３と６を弛めてガスメータ接続管４と７からガスメータ１を取り外すガスメータ１の取り付け構造における前記パッキン８と９を取り外すための装置であって、
ｂ．前記装置は、軸部１１の上端に逆円錐形状のテーパー部１２を形成すると共に前記軸部１１にねじ山１３を形成して成るスピンドル１０を具備し、
ｃ．前記テーパー部１２と同形の逆円錐形状のテーパー穴１５が上面中央に形成されていて、前記スピンドル１０が下方に移動したときにテーパー部１２が前記テーパー穴１５内に入り込んで拡径し、テーパー穴１５内からテーパー部１２が上方に逃げたときに収径するチャック１４を具備し、
ｄ．前記チャック１４の下部及びガスメータ接続管４と７の先端に形成された鍔部４ｂ、７ｂを受け入れる凹部１７を上面に形成し、かつ上部外周に前記袋ナット３及び６が螺合自在の雄ねじ山１８を形成すると共に中心に前記スピンドル１０が上方から挿入される軸穴１９を形成して成るガイドねじ１６を具備し、
ｅ．前記スピンドル１０のねじ山１３に中心のねじ穴２１が螺合していて、回転すると上面２０ａが前記ガイドねじ１６の下面１６ａに当接してスピンドル１０を下降させることにより前記テーパー部１２をテーパー穴１５内に嵌合させてチャック１４を拡径し、反対方向に回転させるとスピンドル１０が上昇してテーパー部１２がテーパー穴１５内から上方に逃げてチャック１４を収径させるチャックナット２０を具備し、
ｆ．前記袋ナット２又は３に前記ガイドねじ１６を螺合させることによりガスメータ接続管４又は７の内径面にチャック１４を挿入し、チャックナット２０を操作してチャック１４を該内径面に固定したあと、袋ナット２又は３を弛めて袋ナット２又は３をガスメータ接続管４又は７に沿ってガイドねじ１６から上方に逃すことによりパッキン８を露出させ、その上で前記チャック１４を収径させてガイドねじ１６をガスメータ接続管４又は７から取り外し、その上で前記露出したパッキン８を取り外すことを特徴とするガスメータ接続部におけるパッキン取外し装置。
【発明の詳細な説明】
【０００１】
【発明の属する技術分野】
本発明は、ガスメータの上部に形成した入側と出側の口金を袋ナットを利用してガス配管側のガスメータ接続管に接続したのち、ガスメータの交換が必要となったときに、前記袋ナット内の段差及びねじ部分に固着した古いパッキンを簡単に取り外すことができるパッキン取外し装置に関する。
【０００２】
【従来の技術】
ガスメータ１は、通常、図１０及び図１１に示すように、入側口金２を袋ナット３のねじ３ａを用いてガスメータ接続管４に接続し、同じように出側口金５を袋ナット６のねじ６ａを用いてガスメータ接続管７に接続することによってガス配管中に取り付けられており、この接続に際し、口金２とガスメータ接続管４の先端に形成した鍔部４ｂ付のパッキン装着段部４ａ間及び口金５とガスメータ接続管７の先端に形成した鍔部７ｂ付のパッキン装着段部７ａ間にはパッキン８、９が取り付けられている。
【０００３】
このようにしてガス配管に取り付けられているガスメータ１を交換等のためにガス配管から取り外す必要が生じた時は、袋ナット３及び６を回転させることにより口金２及び５間の締め付けを弛めてガスメータ１を取り外すことになるが、経年的にゴム製のパッキン８、９は劣化して硬化しているのが普通であることから、図１２及び図１３に示すように、パッキン８、９は、袋ナット３及び６のねじ溝内に喰い込んでいて、簡単には外れないことが多い。
このようなときは、マイナスドライバー等を用いてパッキン８、９を取り外しているが、これには手間がかかり、またねじ溝内にパッキン８、９の切れ屑が残ったりして、この切れ屑が次にガスメータ１の口金２、５を接続するときに障害となる。
【０００４】
【発明が解決しようとする課題】
本発明は、斯る点に鑑みて提供されるものであって、その目的は、ガスメータを取り外した後、袋ナット内から簡単かつ確実に古いパッキンを取り外すことができるパッキン取外し装置を提供することである。
【０００５】
【課題を解決するための手段】
上記目的を達成するため、請求項１に記載の発明においては、ガスメータ接続部におけるパッキン取外し装置において、ａ．左右に分けられたガスメータ接続管４と７の下端外周にはパッキン８と９をそれぞれ装着するパッキン装着段部４ａ、７ａが形成され、ガスメータ１の取り付けに際しては、前記段部４ａと７ａにそれぞれ装着したパッキン８と９にガスメータ１の入側口金２と出側口金５の上端面をそれぞれ圧接させ、前記ガスメータ接続管４と７側に取り付けた袋ナット３と６をガスメータ１側の前記入側口金２と出側口金５に形成されたねじに螺合させ、ガスメータ１の交換に際しては前記袋ナット３と６を弛めてガスメータ接続管４と７からガスメータ１を取り外すガスメータ１の取り付け構造における前記パッキン８と９を取り外すための装置であって、
ｂ．前記装置は、軸部１１の上端に逆円錐形状のテーパー部１２を形成すると共に前記軸部１１にねじ山１３を形成して成るスピンドル１０を具備し、
ｃ．前記テーパー部１２と同形の逆円錐形状のテーパー穴１５が上面中央に形成されていて、前記スピンドル１０が下方に移動したときにテーパー部１２が前記テーパー穴１５内に入り込んで拡径し、テーパー穴１５内からテーパー部１２が上方に逃げたときに収径するチャック１４を具備し、
ｄ．前記チャック１４の下部及びガスメータ接続管４と７の先端に形成された鍔部４ｂ、７ｂを受け入れる凹部１７を上面に形成し、かつ上部外周に前記袋ナット３及び６が螺合自在の雄ねじ山１８を形成すると共に中心に前記スピンドル１０が上方から挿入される軸穴１９を形成して成るガイドねじ１６を具備し、
ｅ．前記スピンドル１０のねじ山１３に中心のねじ穴２１が螺合していて、回転すると上面２０ａが前記ガイドねじ１６の下面１６ａに当接してスピンドル１０を下降させることにより前記テーパー部１２をテーパー穴１５内に嵌合させてチャック１４を拡径し、反対方向に回転させるとスピンドル１０が上昇してテーパー部１２がテーパー穴１５内から上方に逃げてチャック１４を収径させるチャックナット２０を具備し、
ｆ．前記袋ナット２又は３に前記ガイドねじ１６を螺合させることによりガスメータ接続管４又は７の内径面にチャック１４を挿入し、チャックナット２０を操作してチャック１４を該内径面に固定したあと、袋ナット２又は３を弛めて袋ナット２又は３をガスメータ接続管４又は７に沿ってガイドねじ１６から上方に逃すことによりパッキン８を露出させ、その上で前記チャック１４を収径させてガイドねじ１６をガスメータ接続管４又は７から取り外し、その上で前記露出したパッキン８を取り外すことを特徴とするものである。
【０００６】
【作用】
袋ナットをレンチ等を用いて回転することにより、先ず、ガスメータをガスメータ接続管から取り外す。その上で、チャックナットを弛めてガイドねじを下げ、チャックをスピンドル側のテーパー部においてその小径側に位置させてチャックを収径し、この状態でチャック部分をガスメータ接続管内に挿入する。そして、袋ナットをガイドねじの雄ねじ山に螺合して取外し装置をガスメータ接続管に取り付ける。
次に、チャックナットを締め込み方向に回転すると、このチャックナットはガイドねじの下面で止められていることから、チャックナットのねじ穴に螺合しているスピンドルの雄ねじ山の作用でスピンドルが下降し、この下降によりテーパー部がチャックのテーパー穴内を下降してそのテーパーの作用によりチャックを拡径する。この結果、チャックはガスメータ接続管の内径面に圧接して固定される。
【０００７】
この状態でガスメータ接続管側の袋ナットを弛める方向に回転すると、ガイドねじがガスメータ接続管に固定されていることから、袋ナットはガイドねじの雄ねじ山から外れる方向、つまり上方に逃げて行き、やがてガイドねじから外れ、フリーとなる。
この状態でチャックナットを弛める方向に回転すると、スピンドルが上昇し、チャックのテーパー穴内からテーパー部が離れるように上昇してチャックが収径し、ガスメータ接続管内でフリーとなる。
その上で取外し装置をガスメータ接続管内から取り外すと、パッキンが簡単に外れる。
【０００８】
【実施例】
図１は取外し装置の外観図、図２はＡ−Ａ´線断面図、図３はＢ−Ｂ´線断面図である。この図１〜図３において、符号の１０はスピンドルであって、このスピンドル１０は、軸部１１の上端に逆円錐形状のテーパー部１２を形成すると共に前記軸部１１にねじ山１３を形成した構成である。１４はチャックであって、このチャックは、逆円錐形状のテーパー穴１５を介して前記テーパー部１２に外装されていると共にテーパー部１２が下降したときに、テーパー穴１５の作用で外側に拡径される構成であり、１４ａは４分割されたチャックピース、１４ｂはチャックピース１４ａを拡径、収径自在に連結しているリングである。
【０００９】
１６はガイドねじであって、このガイドねじ１６の上面には、ガスメータ接続管４のパッキン装着段部４ａの鍔部４ｂを収容する凹部１７が形成されていると共に上端側の外周は雄ねじ山１８が形成され、更に中心部には前記スピンドル１０の軸部１１がフリーで通る軸穴１９が形成されている。
【００１０】
２０はチャックナットであって、このチャックナット２０は、前記スピンドル１０のねじ山１３に螺合するねじ穴２１を中心部に形成すると共に上面２０ａに前記ガイドねじ１６の下面１６ａが接していて、ガイドねじ１６を袋ナット（図１０の符号３、６）に固定したまま締め込み方向に回転するとスピンドル１０のテーパー部１２が下降して前記チャック１４を拡径し、ガスメータ接続管（図１０の符号４、７）の内径面にチャック１４を固定することができる構成である。２２はスピンドル１０の下端側に取り付けられた抜け止めピンである。
【００１１】
次に、上記構成から成るパッキン取出し装置について、その使用例を図４から図１０に基づいて詳細に説明する。なお、この図４〜図１０において、図示はガスメータの入側のみであり、符号も入側のみであるが、以下の説明においては、ガスメータ接続管及びナットについては、出側の符号も併せて記してある。
先ず、袋ナット３、６をレンチ等を用いて回転することにより、ガスメータ１をガスメータ接続管４、７から取り外す。その上でスピンドル１０のテーパー部１２の小径側にチャック１４を位置させ、図４に示すようにチャック１４を収径した状態でガスメータ接続管４、７内に挿入し、次に図５に示すようにガイドねじ１６の雄ねじ山１８に袋ナット３、６側のねじ山３ａ、６ａを螺合することにより、取外し装置をガスメータ接続管４、７に取り付ける。
【００１２】
次に、図６に示すように、チャックナット２０を時計方向に回転すると、このチャックナット２０はガイドねじ１６の下面１６ａで止められていることから、チャックナット２０のねじ穴２１に螺合されている雄ねじ山１３の作用でスピンドル１０が矢印ａ方向に下降し、この下降によりテーパー部１２が下降し、チャック１４側のテーパー穴１５とのテーパー作用によりチャック１４が矢印ｂ方向に拡径する。この結果、チャック１４がガスメータ接続管４、７の内径面に圧接して固定される。
【００１３】
次に、図７に示すように、袋ナット３、６を反時計方向に回転すると、ガイドねじ１６がガスメータ接続管４、７に固定されていることから、袋ナット３、６はガイドねじ１６の雄ねじ山１８から外れる方向、つまり上方に逃れて行き、やがてガイドねじ１６から外れ、フリーとなる。次に、図８に示すように、チャックナット２０を反時計方向に回転すると、スピンドル１０が上昇し、チャック１４のテーパー穴１５内からテーパー部１２が離れるように上昇してチャック１４がリング１４ｂの作用により矢印ｃ方向に収径し、ガスメータ接続管４、７内での圧接が解除されてチャック１４はフリーとなる。その上で図９に示すように、取外し装置をガスメータ接続管４、７から取り外すと、ガスメータ接続管４、７の先端からパッキン８、９が露出し、そのまま外れる。そして、万一ごびり付いているような時は、袋ナット３、６を上方に持ち上げながらパッキン８、９を露出させ、マイナスドライバー等を用いて除去する。
【００１４】
【発明の効果】
本発明は以上の如き構成と作用から成り、次の効果を奏することができる。
１．ガスメータをガスメータ接続管から取り外し、このガスメータ接続管の先端に本発明の取外し装置を取り付け、袋ナットを回転すると、先ず袋ナットがガスメータ接続管に沿って上方に逃がれ、パッキンが露出し、その上で取外し装置をガスメータ接続管から取り外すと、パッキンは簡単に外れる。また、万一パッキンがこびり付いているようなときは、マイナスドライバー等を用いて除去することができる。
２．取外し装置は、部品点数が少なく、その操作も簡単なため、何人でも、経験を積むことなく使いこなすことができる。
【図面の簡単な説明】
【図１】本発明に係るパッキン取外し装置の外観図。
【図２】Ａ−Ａ´線断面図。
【図３】Ｂ−Ｂ´線断面図。
【図４】ガスメータ接続管にパッキン取外し装置を取り付ける直前の説明図。
【図５】ガスメータ接続管にパッキン取外し装置を取り付けた状態の説明図。
【図６】スピンドルを下降させた状態の説明図。
【図７】袋ナットがフリーとなった状態の説明図。
【図８】チャックがフリーとなった状態の説明図。
【図９】パッキンが外れた状態の説明図。
【図１０】ガスメータを配管に取り付けた状態の説明図。
【図１１】ガスメータの口金とガスメータ接続管とを袋ナットを用いて接続した状態の説明図。
【図１２】袋ナット内にパッキンが残った状態の説明図。
【図１３】袋ナットの溝にパッキンが喰い込んでいる状態の説明図。
【符号の説明】
１  ガスメータ
２  入側口金
３  袋ナット
４  ガスメータ接続管
５  出側口金
６  袋ナット
７  ガスメータ接続管
８、９  パッキン
１０  スピンドル
１１  軸部
１２  テーパー部
１３  ねじ山
１４  チャック
１４ａ  チャックピース
１４ｂ  リング
１５  テーパー穴
１６  ガイドねじ
１６ａ  下面
１７  凹部
１８  雄ねじ山
１９  軸穴
２０  チャックナット
２０ａ  上面
２１  ねじ穴
２２  抜け止めピン
【図１】
0004179500.tif 000002
【図２】
0004179500.tif 000003
【図３】
0004179500.tif 000004
【図４】
0004179500.tif 000005
【図５】
0004179500.tif 000006
【図６】
0004179500.tif 000007
【図７】
0004179500.tif 000008
【図８】
0004179500.tif 000009
【図９】
0004179500.tif 000010
【図１０】
0004179500.tif 000011
【図１１】
0004179500.tif 000012
【図１２】
0004179500.tif 000013
【図１３】
0004179500.tif 000014